(57)【特許請求の範囲】
【請求項１】
ユーザが指定したキーワードを記憶するキーワード記憶手段と、
第一のサーバで公開されている情報である第一の公開情報に前記キーワード記憶手段に記憶されている前記キーワードが含まれるようになったか否かを判別するキーワード有無判別手段と、
前記第一の公開情報に前記キーワードが含まれるようになったと前記キーワード有無判別手段によって判別された場合に、第二のサーバで公開されている情報である第二の公開情報を印刷する、公開情報印刷手段と、
を有することを特徴とする画像形成装置。
【請求項２】
前記ユーザが指定した第二のキーワードを記憶する第二のキーワード記憶手段、を有し、
前記公開情報印刷手段は、前記第二のキーワード記憶手段に記憶されている前記第二のキーワードが含まれている前記第二の公開情報を印刷する、
請求項１記載の画像形成装置。
【請求項３】
第一のサーバで公開されている情報である第一の公開情報を印刷手段と、記憶手段と、ＣＰＵとを用いて印刷する印刷方法であって、
ユーザが指定したキーワードを前記記憶手段に記憶させておき、
第二のサーバで公開されている情報である第二の公開情報に前記記憶手段に記憶されている前記キーワードが含まれるようになったか否かを判別する処理を前記ＣＰＵに実行させ、
前記第二の公開情報に前記キーワードが含まれるようになったと前記ＣＰＵによって判別された場合に、前記第一の公開情報を印刷する処理を前記印刷手段に実行させる、
ことを特徴とする印刷方法。
【請求項４】
印刷手段と、記憶手段と、ＣＰＵとを有する画像形成装置のために用いられるコンピュータプログラムであって、
前記ＣＰＵに、
ユーザが指定したキーワードを前記記憶手段に記憶させる処理を実行させ、
第一のサーバで公開されている情報である第一の公開情報に前記記憶手段に記憶されている前記キーワードが含まれるようになったか否かを判別する処理を実行させ、
前記第一の公開情報に前記キーワードが含まれるようになったと判別した場合に、第二のサーバで公開されている情報である第二の公開情報が印刷されるように前記印刷手段を制御する処理を実行させる、
ことを特徴とするコンピュータプログラム。
【発明の詳細な説明】
【技術分野】
【０００１】
本発明は、インターネット上のＷｅｂサーバなどで公開される情報を利用するための装置および方法などに関する。
【背景技術】
【０００２】
インターネット上のＷｅｂサーバは、当初は、主に学術的な情報を公開するために用いられていた。しかし、近年は、ニュース速報、新商品の発表、交通情報、気象情報、およびブログなど、学術的な情報よりも更新の頻度がはるかに高い情報を公開するためにも用いられている。
【０００３】
しかも、最近は、ますます多くの情報がユーザに提供されるようになった。これに伴って、情報をより効率的に収集することを、ユーザが求めるようになった。
【０００４】
そこで、特許文献１〜３に記載されるような方法が提案されている。特許文献１に記載される方法によると、ユーザによってユーザ情報入力部から入力され記憶部に記憶されたスケジュールに沿って電源タイマ管理部で電源状態を管理する。ページ更新方法記憶部においてスケジュール入力部でユーザの設定した時刻にＵＲＬ入力部でユーザの設定したＵＲＬに対してインターネット通信部を用いてアクセスし、ページ情報を取得する。取得されたページ情報はページ更新方法記憶部と比較され、更新されている場合はページ情報一時記憶部に一時的に保存され印刷管理部によってＷｅｂページ情報が解釈され必要であれば印刷設定入力部からユーザによって入力された設定をもとに、印刷部より印刷される。
【０００５】
特許文献２に記載される方法によると、プリンタは、インターネットに接続してユーザによって指定された時間及びスケジュールにあわせて指定されているＵＲＬに対応する情報処理装置に自動巡回接続して、該情報処理装置で開示されている情報の更新有無を確認しながら、更新されている情報を自動取得して印刷処理する。
【０００６】
特許文献３に記載される方法によると、画像処理装置は、定時プリントジョブ処理が開始されると、現在の時刻に印刷すべきプリントジョブがあるか否かを判断する。該当するプリントジョブがあると判断した場合には、そのプリントジョブで指定されたＵＲＬに従って、該当するＷｅｂサイトに対し、ＲＳＳやＡｔｏｍ形式で記述された更新情報を要求し、取得する。そして、登録されたＵＲＬのリソースに更新があったか否かを、取得した更新情報を解析することで判定する。登録されたＵＲＬのリソースに更新があると判断した場合には、そのＵＲＬを用いて該当するリソースを取得する。そして、取得したリソースに基づいて印刷画像を生成し、印刷する。
【０００７】
そのほか、特許文献４〜７には、ユーザが指定した画像とともに広告を印刷する方法が開示されている。
【特許文献１】特開２０００−２８４９１９号公報
【特許文献２】特開２００４−２１４５３号公報
【特許文献３】特開２００７−１５６７１３号公報
【特許文献４】特開２００２−１８９３９４号公報
【特許文献５】特開２００２−２６８８３１号公報
【特許文献６】特開２００３−２０９６５０号公報
【特許文献７】特開２００４−１８６７８０号公報
【発明の開示】
【発明が解決しようとする課題】
【０００８】
特許文献１〜３に記載されるような従来の方法では、情報は、ほんの一部分でも更新されていれば、印刷される。しかし、上述の通り情報の更新の頻度および情報の数が増えている近年においては、ユーザは、もっと効率的に情報を収集することを望んでいる。
【０００９】
本発明は、このような課題に鑑み、Ｗｅｂサーバなどで公開される情報をユーザが従来よりも効率的に収集できるようにすることを目的とする。
【課題を解決するための手段】
【００１０】
本発明の一形態である画像形成装置は、ユーザが指定したキーワードを記憶するキーワード記憶手段と、第一のサーバで公開されている情報である第一の公開情報に前記キーワード記憶手段に記憶されている前記キーワードが含まれるようになったか否かを判別するキーワード有無判別手段と、前記第一の公開情報に前記キーワードが含まれるようになったと前記キーワード有無判別手段によって判別された場合に、第二のサーバで公開されている情報である第二の公開情報を印刷する、公開情報印刷手段と、を有する。
【００１１】
好ましくは、前記ユーザが指定した第二のキーワードを記憶する第二のキーワード記憶手段、を有し、前記公開情報印刷手段は、前記第二のキーワード記憶手段に記憶されている前記第二のキーワードが含まれている前記第二の公開情報を印刷する。
【００１２】
本発明の一形態である印刷方法は、第一のサーバで公開されている情報である第一の公開情報を印刷手段と、記憶手段と、ＣＰＵとを用いて印刷する印刷方法であって、ユーザが指定したキーワードを前記記憶手段に記憶させておき、第二のサーバで公開されている情報である第二の公開情報に前記記憶手段に記憶されている前記キーワードが含まれるようになったか否かを判別する処理を前記ＣＰＵに実行させ、前記第二の公開情報に前記キーワードが含まれるようになったと前記ＣＰＵによって判別された場合に、前記第一の公開情報を印刷する処理を前記印刷手段に実行させる。
【００１３】
本発明の一形態であるコンピュータプログラムは、印刷手段と、記憶手段と、ＣＰＵとを有する画像形成装置のために用いられるコンピュータプログラムであって、前記ＣＰＵに、ユーザが指定したキーワードを前記記憶手段に記憶させる処理を実行させ、第一のサーバで公開されている情報である第一の公開情報に前記記憶手段に記憶されている前記キーワードが含まれるようになったか否かを判別する処理を実行させ、前記第一の公開情報に前記キーワードが含まれるようになったと判別した場合に、第二のサーバで公開されている情報である第二の公開情報が印刷されるように前記印刷手段を制御する処理を実行させる。
【発明の効果】
【００１８】
本発明によると、ユーザはＷｅｂサーバなどで公開される情報を従来よりも効率的に収集することができる。
【発明を実施するための最良の形態】
【００１９】
図１は画像形成装置１のハードウェア構成の例を示す図、図２は画像形成装置１の機能的構成の例を示す図、図３はイントラネット４とＷｅｂサーバ５との接続の形態の例を示す図、図４はＲＳＳデータの例を示す図である。
【００２０】
本発明の一形態に係る画像形成装置および公開情報収集装置として機能する画像形成装置１は、コピー、スキャナ、ファックス、ドキュメントサーバ（いわゆるボックス）、およびネットワークプリンティング（いわゆるＰＣプリント）などの様々な機能を集約した装置である。一般に、複合機またはＭＦＰ（Multi Function Peripherals）などと呼ばれることもある。
【００２１】
さらに、画像形成装置１は、ＷｅｂブラウザおよびＲＳＳリーダの機能を有する。そして、インターネット上のＷｅｂサイトから配信される様々な記事の中から各ユーザが個々に注目しているものを収集し、各ユーザの好みに応じた形態で出力しまたは保存する。
【００２２】
画像形成装置１は、図１に示すように、ＣＰＵ１０ａ、ＲＡＭ１０ｂ、ＲＯＭ１０ｃ、ハードディスク１０ｄ、制御用回路１０ｅ、スキャナユニット１０ｆ、印刷ユニット１０ｇ、ＬＡＮボード１０ｈ、モデム１０ｉ、および操作パネル１０ｊなどによって構成される。
【００２３】
制御用回路１０ｅは、ハードディスク１０ｄ、スキャナユニット１０ｆ、印刷ユニット１０ｇ、ＬＡＮボード１０ｈ、モデム１０ｉ、および操作パネル１０ｊなどを制御するための回路である。
【００２４】
スキャナユニット１０ｆは、用紙に記されている文章、数式、記号、写真、図表、またはイラストなどからなる書類（ドキュメント）の画像を光学的に読み取って画像データを生成する。
【００２５】
印刷ユニット１０ｇは、スキャナユニット１０ｆで得られた画像データのほかＷｅｂサーバ、パーソナルコンピュータ、またはファックス端末などから送信されてきた画像データなどに基づいて画像を用紙に印刷する。
【００２６】
ＬＡＮボード１０ｈは、他の装置とＴＣＰ／ＩＰなどのプロトコルによって通信を行うためのＮＩＣ（Network Interface Card）である。モデム１０ｉは、公衆回線を介してファックス端末とファックスプロトコルによって通信を行う。
【００２７】
操作パネル１０ｊは、タッチパネル方式のパネルであって、ユーザに対してメッセージまたは指示を与えるための画面、ユーザが所望する処理の種類および処理条件を入力するための画面、およびＣＰＵ１０ａで実行された処理の結果を示す画面などを表示する。また、ユーザは、操作パネル１０ｊの所定の位置に触れることによって画像形成装置１に対して指令を与えたり処理条件の指定を行ったりすることができる。このように、操作パネル１０ｊは、画像形成装置１を操作するユーザのユーザインタフェースの役割を果たしている。
【００２８】
ＲＯＭ１０ｃまたはハードディスク１０ｄには、図２に示すような閲覧設定データ生成部１０１、印刷等設定データ生成部１０２、ダウンロード処理部１０３、更新等有無判別部１０４、書類データ生成部１０５、印刷制御部１０６、電子メール送信部１０７、ファイル転送部１０８、ユーザボックス管理部１３０、閲覧設定テーブル記憶部１３１、印刷等設定データ記憶部１３２、およびＲＳＳデータ等記憶部１３３などを実現するためのプログラムおよびデータが記憶されている。
【００２９】
これらのプログラムおよびデータは必要に応じてＲＡＭ１０ｂに読み出され、ＣＰＵ１０ａによってプログラムが実行される。図２に示す機能の一部または全部を、制御用回路１０ｅなどの回路によって実現するようにしてもよい。
【００３０】
ＣＰＵ１０ａは、後に順次示すフローチャートの手順で処理が実行されるように、上記プログラムを実行することにより画像形成装置１の全体を制御する。また、そのほかのプログラムも適宜実行する。
【００３１】
画像形成装置１は、図３に示すように、役所、企業、または学校などの組織のイントラネット４に設けられている。イントラネット４には、画像形成装置１以外にも、１台または複数台の端末装置２Ａ、１台または複数台のファイルサーバ２Ｂ、およびルータ３などの装置が設けられている。
【００３２】
端末装置２Ａは、画像形成装置１のクライアントであって、画像形成装置１のスキャナ、ファックス、ボックス、およびＰＣプリントなどの機能を利用するための装置である。端末装置２Ａには、画像形成装置１のドライバがインストールされている。
【００３３】
そのほか、端末装置２Ａには、電子メール用のソフトウェア、ＦＴＰ（File Transfer Protocol）またはＳＭＢ（Server Message Block）などのプロトコルでファイルのやり取りを行うソフトウェア、およびＷｅｂブラウザなどがインストールされている。
【００３４】
端末装置２Ａとして、パーソナルコンピュータまたはワークステーションなどが用いられる。
【００３５】
ルータ３は、イントラネット４をインターネットなどの外部のネットワークと接続する。これにより、画像形成装置１および端末装置２Ａは、イントラネット４の外部の装置と通信を行うことができる。例えば、インターネットに接続されているＷｅｂサーバ５と通信を行うことができる。
【００３６】
Ｗｅｂサーバ５は、１つまたは複数のＷｅｂページによって構成されるＷｅｂサイトを、インターネットに接続されている装置に提供する。さらに、Ｗｅｂサイトの中の記事ごとのタイトル（見出し）、要約、公開した日時、最後に更新した日時、およびその記事の内容（コンテンツ、本文）を掲載するＷｅｂページのＵＲＬなどの情報をＲＳＳのフォーマットで記述した、図４のようなデータ（つまり、ＲＳＳデータ）をも、提供する。
【００３７】
なお、ＲＳＳは、バージョンによってフォーマットに多少の違いがあり、そのフルネームもバージョンによって「RDF Site Summary」、「Rich Site Summary」、または「Really Simple Syndication」と異なる。「Ａｔｏｍ」と呼ばれるフォーマットも存在する。画像形成装置１、端末装置２Ａ、およびＷｅｂサーバ５は、いずれのバージョンのＲＳＳにも対応可能である。
【００３８】
図５は閲覧設定テーブル６の例を示す図、図６はページ画像ＰＥの例を示す図、図７はページ画像ＰＦの例を示す図、図８はＷｅｂページ画像ＰＧの例を示す図、図９は複数のＷｅｂページからなる書類の例を示す図である。次に、図２に示す画像形成装置１の各部の処理内容などについて詳細に説明する。
【００３９】
図２において、画像形成装置１のユーザボックス管理部１３０は、イントラネット４が敷設されている組織のメンバすなわちイントラネット４のユーザごとのボックスの管理を行う。「ボックス」とは、パーソナルコンピュータなどにおける「フォルダ」または「ディレクトリ」に相当する記憶領域である。
【００４０】
ユーザボックス管理部１３０は、ハードディスク１０ｄの一部の記憶領域をユーザごとのボックスのために確保している。そして、ボックスへの新たなファイルの保存、既存のファイルの内容の更新、または既存のファイルのボックスからの削除などの処理を行う。
【００４１】
特に、本実施形態では、ボックスは、後述する書類データ生成部１０５によって生成されたファイルを保存するために用いられる。
【００４２】
なお、各ユーザにはユニークなユーザコードが与えられている。ボックスには、その所有者であるユーザのユーザコードが対応付けられている。
【００４３】
閲覧設定テーブル記憶部１３１には、ユーザごとの閲覧設定テーブル６が、そのユーザのユーザコードと対応付けられて記憶されている。閲覧設定テーブル６には、図５に示すように、日頃そのユーザが注目しているＷｅｂサイトごとの閲覧設定データ６ａが格納されている。
【００４４】
閲覧設定データ６ａにおいて、「閲覧コード」は、その閲覧設定データ６ａ自身を他の閲覧設定データ６ａと区別するための識別子である。「サイト名」は、そのＷｅｂサイトの名称である。「ＵＲＬ」は、そのＷｅｂサイトが配信するＲＳＳデータの、インターネット上の場所を表わすＵＲＬ（Uniform Resource Locator）である。
【００４５】
「キーワード」は、そのユーザがそのＷｅｂサイトから配信される記事のうち閲覧したい記事に関連するキーワードである。「カテゴリ」は、その記事のカテゴリ（ジャンル、区分）である。
【００４６】
新たにユーザが追加されるごとに、そのユーザの閲覧設定テーブル６が生成され閲覧設定テーブル記憶部１３１に記憶される。また、閲覧設定データ６ａは、閲覧設定データ生成部１０１によって次のように生成され、閲覧設定テーブル６に格納される。
【００４７】
ユーザが操作パネル１０ｊを操作して自分のユーザコードで画像形成装置１にログインし所定のコマンドを入力すると、閲覧設定データ生成部１０１は、Ｗｅｂブラウザの画面を操作パネル１０ｊに表示させる。ここで、ユーザは、Ｗｅｂブラウザを操作することによって、自分が閲覧したい記事を配信するＷｅｂサイトにアクセスし、そのＷｅｂサイトのＲＳＳデータのＵＲＬを見つける。そして、そのＵＲＬを画像形成装置１に対して指定する。さらに、そのＷｅｂサイトのサイト名と自分が閲覧したい記事に関連するキーワードおよびカテゴリとを入力する。
【００４８】
すると、閲覧設定データ生成部１０１は、新たな閲覧コードを発行するとともに、その閲覧コード、そのユーザが指定しまたは入力したサイト名、ＵＲＬ、キーワード、およびカテゴリを示す閲覧設定データ６ａを生成する。そして、その閲覧設定データ６ａをそのユーザの閲覧設定テーブル６に格納させる。
【００４９】
ユーザが操作パネル１０ｊの代わりに端末装置２Ａを操作して指定および入力を行うことができるようにしてもよい。
【００５０】
なお、ユーザは、１つのＷｅｂサイトについて複数の閲覧設定データ６ａを自分の閲覧設定テーブル６に登録（格納）させることができる。例えば、ある１つのＷｅｂサイトから配信される記事のうち、「金融」のカテゴリについては「為替」に関連する記事を閲覧し、「ビジネス」のカテゴリについては「新製品発表」に関連する記事を閲覧したい場合は、「金融」というカテゴリおよび「為替」というキーワードを示す閲覧設定データ６ａと、「ビジネス」というカテゴリおよび「新製品発表」というキーワードを示す閲覧設定データ６ａとを、上述の操作を行うことによって、自分の閲覧設定テーブル６に登録させておけばよい。
【００５１】
ところで、一般に、ＲＳＳデータには、前に図４を参照して説明したように、Ｗｅｂサイトから配信される記事ごとのタイトルと、その記事の内容を掲載しているＷｅｂページのＵＲＬとが、示されている。
【００５２】
また、上述のように、画像形成装置１は、インターネット上のＷｅｂサイトから配信される記事をユーザの好みに応じた形態で出力しまたはその記事のデータを保存する、という従来にない機能を、有する。具体的には、次のような形態で記事を出力しまたはそのデータを保存する。
【００５３】
図６に示すように、画像形成装置１は、記事のタイトルなどの一覧を、バナー広告のように、印刷の主たる対象である書類（例えば、レポートなど）の画像とともに用紙の表（おもて）面に印刷する。以下、このような形態の印刷を「余白一覧印刷」と記載する。また、記事のタイトルなど一覧を「記事タイトル等一覧ＧＢ」と記載し、印刷の主たる対象である書類の画像を「メイン画像ＧＡ」と記載し、同一の頁に印刷するためのメイン画像ＧＡおよび記事タイトル等一覧ＧＢによって構成される画像を「ページ画像ＰＥ」と記載する。
【００５４】
または、画像形成装置１は、図７に示すように、メイン画像ＧＡを印刷した用紙の裏面に記事タイトル等一覧ＧＢを印刷する。以下、このような形態の印刷を「裏面一覧印刷」と記載する。
【００５５】
または、画像形成装置１は、図８に示すように、記事の内容を掲載したＷｅｂページを用紙に印刷する。メイン画像ＧＡの最後の頁に続いて用紙の表面に印刷することもできるし、メイン画像ＧＡを印刷した用紙の裏面に印刷することもできる。以下、前者の形態の印刷を「表面Ｗｅｂページ印刷」と記載し、後者の形態の印刷を「裏面Ｗｅｂページ印刷」と記載する。
【００５６】
さらに、画像形成装置１は、表面Ｗｅｂページ印刷または裏面Ｗｅｂページ印刷において、図９に示すように、Ｗｅｂページを、ダウンロードした日付の順に並べ、１組の書類として印刷することができる。
【００５７】
または、画像形成装置１は、記事の内容を掲載したＷｅｂページを、その記事を配信するＷｅｂサイトとは別のＷｅｂサイトから配信される情報に応じたタイミングで印刷することができる。
【００５８】
そのほか、画像形成装置１は、上記のＷｅｂページを印刷しまたはディスプレイに表示するための画像ファイル（例えば、ＰＤＦまたはＴＩＦＦなどのフォーマットのファイル）を生成し、保存しまたは他の装置に転送することもできる。
【００５９】
図１０は印刷等設定データ７の例を示す図、図１１は印刷等設定画面ＨＧ１の例を示す図、図１２は記事データ取得処理の流れの例を説明するフローチャートである。
【００６０】
図２に戻って、印刷等設定データ記憶部１３２には、ユーザごとの印刷等設定データ７が記憶されている。図１０のように、印刷等設定データ７は、一覧印刷条件データ７１およびＷｅｂページ印刷等条件データ７２によって構成されており、そのユーザの希望する記事の印刷などに関する設定の内容を示している。
【００６１】
一覧印刷条件データ７１には、上述の余白一覧印刷および裏面一覧印刷に関する条件が示されている。一方、Ｗｅｂページ印刷等条件データ７２には、表面Ｗｅｂページ印刷および裏面Ｗｅｂページ印刷などのＷｅｂページの印刷に関する条件およびＷｅｂページのファイルの保存および転送に関する条件などが示されている。
【００６２】
印刷等設定データ７は、印刷等設定データ生成部１０２によって生成される。ここで、印刷等設定データ７の生成の手順および印刷等設定データ７に示される各条件の意味について、説明する。
【００６３】
ユーザが自分のユーザコードで画像形成装置１にログインし所定のコマンドを入力すると、印刷等設定データ生成部１０２は、図１１のような印刷等設定画面ＨＧ１を操作パネル１０ｊに表示させる。ユーザは、自分が所望する印刷などに関する設定の内容を、この印刷等設定画面ＨＧ１に次のように指定する。
【００６４】
記事タイトル等一覧ＧＢを画像形成装置１に印刷させたい場合は、「一覧印刷」の「行う」のチェックボックスをタッチしてオンにする。さらに、記事タイトル等一覧ＧＢをカテゴリごとに分類して印刷させたい場合は、「カテゴリ分類印刷」の「行う」のチェックボックスをオンにする。分類しない場合は、「行わない」のチェックボックスをオンにする。さらに、記事タイトル等一覧ＧＢを図６のように余白一覧印刷させたい場合は「印刷面」の「表面の余白」のチェックボックスをオンにし、図７（ｂ）のように裏面一覧印刷させたい場合は「裏面」のチェックボックスをオンにする。
【００６５】
一方、記事タイトル等一覧ＧＢの印刷を所望しない場合は、「一覧印刷」の「行わない」のチェックボックスをオンにする。
【００６６】
さらに、ユーザは、記事の内容を掲載するＷｅｂページの印刷およびそのデータの取扱いについて、次のように指定する。
【００６７】
そのユーザが予め指定した（つまり、そのユーザの閲覧設定データ６ａ（図５参照）に示される）キーワードに関連する記事のＷｅｂページに絞り込んで印刷などを行わせたい場合は、「キーワード絞込み印刷・保存・転送」の「行う」のチェックボックスをオンにする。キーワードによる絞込みが不要である場合は、「行わない」のチェックボックスをオンにする。
【００６８】
特定のカテゴリの記事のＷｅｂページに絞り込んで印刷などを行わせたい場合は、「カテゴリ絞込み印刷・保存・転送」の「行う」のチェックボックスをオンにする。さらに、そのカテゴリを「対象カテゴリ」という条件名の右側の指定用領域（括弧で示す領域）に指定する。カテゴリによる絞込みが不要である場合は、「行わない」のチェックボックスをオンにする。
【００６９】
Ｗｅｂページを表面Ｗｅｂページ印刷させたい場合は、「印刷面」の「表面」のチェックボックスをオンにし、裏面Ｗｅｂページ印刷させたい場合は、「裏面」のチェックボックスをオンにする。
【００７０】
Ｗｅｂページの画像ファイルをボックスに保存することを所望する場合は、「保存先ＢＯＸ」の「ＢＯＸ」のチェックボックスをオンにする。さらに、その画像ファイルをボックスに保存する際にその画像ファイルに付けるファイル名を「ファイル名」という条件名の右側の指定用領域に指定する。
【００７１】
Ｗｅｂページの画像ファイルを他の装置に転送することを所望する場合は、その転送方法に応じて、次のように指定する。ＦＴＰなどのプロトコルによってファイルサーバ２Ｂに転送したい場合は、「サーバ」のチェックボックスをオンにするとともに、「アドレス」という条件名の右側の指定用領域にそのファイルサーバ２Ｂのアドレス（例えば、ＩＰアドレス）を指定する。または、電子メールによって他の装置に転送した場合は、「Ｅ−Ｍａｉｌ添付」のチェックボックスをオンにするとともに、ＦＴＰによる場合と同じ指定用領域に当該他の装置に設定されている電子メールアドレスを指定する。
【００７２】
Ｗｅｂページを、それの発信元であるＷｅｂサイトとは異なる他のＷｅｂサイトから配信される情報に応じたタイミングで印刷させたい場合は、「印刷・保存・転送トリガ条件の設定」の「行う」のチェックボックスをオンにする。さらに、「対象ＲＳＳサイト」という条件名の右側の指定用領域に、当該他のＷｅｂサイトのＵＲＬを指定する。例えば、当該他のＷｅｂサイトが配信する天気予報に応じたタイミングで印刷させたい場合は、当該他のＷｅｂサイトの天気予報のＷｅｂページのＵＲＬを指定する。さらに、「キーワード」という条件名の右側の指定用領域に、具体的に何を示す情報に応じたタイミングで印刷させるのかを指定する。例えば、「雨」という情報が当該他のＷｅｂサイトから配信されたタイミングで印刷させたい場合は、「雨」というキーワードを指定する。
【００７３】
Ｗｅｂサイトを図９のようにダウンロードした日付の順に並べて印刷させたい場合は、「ファイル結合処理」の「行う」のチェックボックスをオンにする。さらに、いつからいつまでの期間のＷｅｂサイトを印刷させるのかを「取得期間」という条件名の右側の指定用領域に指定する。新しい日付のＷｅｂサイトほど前の頁に印刷させたい場合は「前方追加」のチェックボックスをオンにし、後ろの頁に印刷させたい場合は「後方追加」のチェックボックスをオンにする。
【００７４】
そして、ユーザは、必要なすべての指定が終わったら、「ＯＫ」ボタンを押す。すると、印刷等設定データ生成部１０２は、指定された内容を示す印刷等設定データ７を生成し、そのユーザのユーザコードと対応付けて印刷等設定データ記憶部１３２に記憶させる。なお、端末装置２Ａに印刷等設定画面ＨＧ１を表示させ、ユーザが遠隔的に指定を行うことができるようにしてもよい。
【００７５】
図２に戻って、ダウンロード処理部１０３は、各ユーザの閲覧設定テーブル６および印刷等設定データ７に基づいて、ＲＳＳデータと、それに示されるＷｅｂページを再現するためのデータ（ＨＴＭＬファイルおよび画像ファイルなど）とを、Ｗｅｂサーバ５からダウンロードする。以下、ダウンロード処理部１０３によってダウンロードされるＲＳＳデータおよびＷｅｂページを再現するためのデータをそれぞれ「ＲＳＳデータ８０」および「Ｗｅｂページデータ８１」と記載する。
【００７６】
ダウンロードされたＲＳＳデータ８０およびＷｅｂページデータ８１は、そのユーザのユーザコードと対応付けられてＲＳＳデータ等記憶部１３３に記憶される。Ｗｅｂページデータ８１は、そのユーザの書類の印刷のために使用されたら、ＲＳＳデータ等記憶部１３３から削除される。または、ＲＳＳデータ等記憶部１３３に記憶されてから所定の時間（例えば、２４時間）が経過したら削除される。
【００７７】
更新等有無判別部１０４は、ダウンロードされたＲＳＳデータ８０に更新されまたは新たに追加された記事が示されているか否かを判別する。
【００７８】
ここで、ある１人のユーザＵｘのためにＲＳＳデータ８０およびＷｅｂページデータ８１をダウンロードする場合を例に、ダウンロード処理部１０３および更新等有無判別部１０４の処理の流れを、図１２のフローチャートを参照しながら説明する。
【００７９】
ダウンロード処理部１０３は、ユーザＵｘのユーザコードが対応付けられている閲覧設定テーブル６（図５参照）および印刷等設定データ７（図１０参照）をそれぞれ閲覧設定テーブル記憶部１３１および印刷等設定データ記憶部１３２から呼び出す（図１２の＃１０１）。その閲覧設定テーブル６に閲覧設定データ６ａが１つも登録（格納）されていない場合は（＃１０２でＮｏ）、ダウンロードの処理を終了する。また、その印刷等設定データ７の一覧印刷条件データ７１に示される「一覧印刷」の条件が「行わない」である場合も、ダウンロードの処理を終了する。
【００８０】
ダウンロード処理部１０３は、閲覧設定データ６ａが登録されている場合は、１つ目の閲覧設定データ６ａに注目する（＃１０３）。
【００８１】
そして、その注目している閲覧設定データ６ａに示されるＵＲＬに基づいて、ＲＳＳデータ８０をＷｅｂサーバ５からダウンロードする（＃１０４）。例えば、「http://www.example1.xxx/index.rdf」というＵＲＬがその閲覧設定データ６ａに示される場合は、「example1.xxx」というドメインに属しかつ「www」というサーバ名を有するＷｅｂサーバ５にアクセスし、「index.rdf」というファイル名のＲＳＳファイル（ＲＳＳデータ８０）をダウンロードする。このＲＳＳデータ８０は、ＲＳＳデータ等記憶部１３３に記憶される。
【００８２】
更新等有無判別部１０４は、ダウンロードされたＲＳＳデータ８０に示される記事が更新されまたは新規に追加されたものであるか否かを判別する（＃１０５）。
【００８３】
例えば、そのＲＳＳデータ８０に示されるその記事の公開日時と前回に同一のＵＲＬに基づいてダウンロードを行った日時とを比較し、前者のほうが後者よりも後である場合は、その記事が新規に追加されたものであると、判別できる。または、新規に追加されたものではないが、そのＲＳＳデータ８０に示されるその記事の更新日時が前回に同一のＵＲＬに基づいてダウンロードを行った日時よりも後である場合は、その記事が更新されていると、判別できる。
【００８４】
そのＲＳＳデータ８０に複数の記事が示されている場合は、更新等有無判別部１０４は、それぞれの記事について、更新されまたは新規に追加されたものであるか否かの判別を行う。
【００８５】
更新されまたは新規に追加された記事は、後述するように、図６のような余白一覧印刷または図７のような裏面一覧印刷の対象となる。そこで、更新等有無判別部１０４は、更新されまたは新規に追加されたと判別した各記事のタイトル、説明（description）、内容を掲載するＷｅｂページのＵＲＬ、閲覧設定データ６ａに示されるカテゴリ、およびユーザＵｘのユーザコードを示す更新等記事データ８２を一時的に記憶しておく（＃１０６）。なお、タイトル、説明、およびＵＲＬは、ＲＳＳデータ８０に示されている。
【００８６】
ダウンロード処理部１０３は、更新されまたは新規に追加されたものであると更新等有無判別部１０４によって判別された記事の内容を掲載するＷｅｂページのＷｅｂページデータ８１を、そのＲＳＳデータ８０に示されるその記事のＵＲＬに基づいてＷｅｂサーバ５からダウンロードする（＃１０８）。
【００８７】
ただし、そのＷｅｂページ印刷等条件データ７２に示される「カテゴリ絞込み印刷・保存・転送」の条件が「行う」であるならば、その閲覧設定データ６ａに示されるカテゴリが、そのＷｅｂページ印刷等条件データ７２の「対象カテゴリ」に示されるいずれかのカテゴリと一致する場合に限り（＃１０７でＹｅｓ）、Ｗｅｂページデータ８１をダウンロードする（＃１０８）。一致しない場合は、ダウンロードしない。
【００８８】
これらのＷｅｂページは、図８のように、表面Ｗｅｂページ印刷または裏面Ｗｅｂページ印刷の対象となる。ただし、ユーザＵｘがキーワードを指定し絞込みを行うことを希望している場合は、そのキーワードに関連するＷｅｂページだけが対象となる。
【００８９】
そこで、ダウンロード処理部１０３は、その印刷等設定データ７のＷｅｂページ印刷等条件データ７２に示されるキーワード絞込み印刷・保存・転送」の条件が「行う」であり、かつ、その閲覧設定データ６ａに何らかのキーワードが示されている場合は（＃１０９でＹｅｓ）、ダウンロードした各Ｗｅｂページのコンテンツ部分に、その閲覧設定データ６ａに示されるキーワードが含まれているか否かをチェックする（＃１１０）。ただし、複数のキーワードが「ａｎｄ」の演算子によって繋がれている場合は、すべてのキーワードが含まれているか否かをチェックする。「ｏｒ」の演算子によって繋がれている場合は、１つ以上のキーワードが含まれているか否かをチェックする。
【００９０】
そして、ダウンロード処理部１０３は、閲覧設定データ６ａに示される通りにキーワードが含まれているＷｅｂページのＷｅｂページデータ８１を、ユーザＵｘのユーザコードおよびダウンロードした日時と対応付けて、ＲＳＳデータ等記憶部１３３に記憶させる（＃１１１でＹｅｓ、＃１１２）。
【００９１】
一方、ダウンロード処理部１０３は、印刷等設定データ７のＷｅｂページ印刷等条件データ７２に示される「キーワード絞込み印刷・保存・転送」の条件が「行わない」である場合は（＃１０９でＮｏ）、ステップ＃１１０、＃１１１の処理をスキップし、ダウンロードしたＷｅｂページデータ８１を、ユーザＵｘのユーザコードおよびダウンロードした日時と対応付けて、ＲＳＳデータ等記憶部１３３に記憶させる（＃１１２）。
【００９２】
ダウンロード処理部１０３および更新等有無判別部１０４は、同様に、ユーザＵｘの閲覧設定テーブル６に示される２番目以降の閲覧設定データ６ａに基づいて、ステップ＃１０４〜＃１１２の処理を適宜実行する。
【００９３】
以上の処理によって、ユーザＵｘが閲覧したい記事の更新等記事データ８２などが収集される。
【００９４】
図２に戻って、書類データ生成部１０５は、図６、図７、図８、および図９にそれぞれ示すような種々の形態の書類を印刷しまたは表示するための画像のデータを生成する処理を行う。
【００９５】
印刷制御部１０６は、書類データ生成部１０５によって生成されたデータに基づいて書類が用紙に印刷されるように印刷ユニット１０ｇを制御する。
【００９６】
電子メール送信部１０７は、書類データ生成部１０５によって生成された書類のデータを電子メールに添付して他の装置に送信する処理を行う。ファイル転送部１０８は、そのデータをＦＴＰなどのプロトコルでファイルサーバ２Ｂに送信する処理を行う。
【００９７】
書類データ生成部１０５ないしファイル転送部１０８の処理の具体的な内容は、閲覧設定テーブル６および印刷等設定データ７に示される設定内容によって、異なる。ここで、ある１人のユーザＵｘに対して書類を提供する場合を例に、書類データ生成部１０５ないしファイル転送部１０８による処理の詳細な内容を説明する。
【００９８】
〔第一の提供方法〕
図１３および図１４はコピー処理の流れの例を説明するフローチャート、図１５は記事の一覧の配置の例を示す図、図１６は印刷処理の流れの例を説明するフローチャート、図１７ないし図２２は印刷物の形態の例を示す図である。
【００９９】
例えば、「一覧印刷」の条件をオンに指定しているユーザＵｘが、自分のユーザコードで画像形成装置１にログインした後、複数の頁からなる原稿のコピーを取るために、その原稿の用紙を画像形成装置１の原稿台にセットし、所定のコマンドを画像形成装置１に入力したとする。
【０１００】
すると、画像形成装置１において、図１３および図１４に示す手順で処理が実行される。書類データ生成部１０５は、各頁の原稿をスキャナユニット１０ｆに読み取らせることによって、各頁のメイン画像ＧＡの画像データを取得する（図１３の＃１２１）。
【０１０１】
書類データ生成部１０５は、ユーザＵｘの更新等記事データ８２をすべて呼び出し（＃１２２）、その更新等記事データ８２に示される記事ごとのＵＲＬを示すＱＲ（Quick Response）コードを生成する（＃１２３）。
【０１０２】
ユーザＵｘの印刷等設定データ７の一覧印刷条件データ７１に示される「カテゴリ分類印刷」の条件が「行う」である場合は（＃１２４でＹｅｓ）、各更新等記事データ８２に示される各記事をカテゴリごとに分類して並べ替える（＃１２５）。
【０１０３】
その印刷等設定データ７の一覧印刷条件データ７１に示される「印刷面」の条件が「表面の余白」である場合は（＃１２６でＹｅｓ）、書類データ生成部１０５は、更新等記事データ８２に示され必要に応じて並べ替えられた各記事のタイトル、ＵＲＬ、および説明とステップ＃１２３で生成されたＱＲコードとを含む記事タイトル等一覧ＧＢが、図６に示すように、メイン画像ＧＡを用紙に印刷した際の余白の部分に印刷されるように、メイン画像ＧＡと記事タイトル等一覧ＧＢとをマージすることによってページ画像ＰＥを生成する（＃１２７）。１頁のメイン画像ＧＡにすべての記事の記事タイトル等一覧ＧＢをマージできない場合は、図１５のように、記事を幾つかのグループに分け、幾つかの頁に分散してマージする。
【０１０４】
一方、「印刷面」の条件が「裏面」である場合は（＃１２６でＮｏ）、書類データ生成部１０５は、図７（ｂ）のような、記事タイトル等一覧ＧＢだけで１頁を占める画像（以下、「ページ画像ＰＦ」と記載する。）を生成する。（＃１２８）。
【０１０５】
ユーザＵｘのユーザコードに対応付けられているＷｅｂページデータ８１がＲＳＳデータ等記憶部１３３に記憶されている場合は（＃１２９でＹｅｓ）、書類データ生成部１０５は、各Ｗｅｂページのサイズに応じて、複数のＷｅｂページを図８のように１つの頁に纏めて配置し、１つのＷｅｂページを１つの頁に配置し、または１つのＷｅｂページを複数の頁に分割して配置することによって、１つまたは複数の、Ｗｅｂページを示す頁の画像（以下、「Ｗｅｂページ画像ＰＧ」と記載する。）を生成する（＃１３０）。
【０１０６】
印刷制御部１０６は、ステップ＃１２１、＃１２７、＃１２８、または＃１３０で得た画像を用紙に印刷する処理を行う（図１４の＃１３１）。この処理の手順は、図１６に示す通りである。
【０１０７】
印刷制御部１０６は、ユーザＵｘのユーザコードに対応付けられているＷｅｂページデータ８１がＲＳＳデータ等記憶部１３３に記憶されていない場合は（図１６の＃２０１でＮｏ）、一覧印刷条件データ７１に示される「印刷面」の条件が「表面の余白」であれば（＃２０２でＹｅｓ）、ステップ＃１２７で生成したメイン画像ＧＡと記事タイトル等一覧ＧＢとからなるページ画像ＰＥが１つずつ用紙の１つの面に印刷され、記事タイトル等一覧ＧＢとマージされていないメイン画像ＧＡが残っていればそれらのメイン画像ＧＡが１つずつ用紙の１つの面に印刷されるように、印刷ユニット１０ｇを制御する（＃２０３）。これにより、両面印刷モードの場合は図１７（ａ）のような印刷物が得られ、片面印刷モードの場合は図１７（ｂ）のような印刷物が得られる。
【０１０８】
一方、「印刷面」の条件が「裏面」であれば（＃２０２でＮｏ）、図１８のようにメイン画像ＧＡが用紙の表面に印刷されステップ＃１２８で生成したページ画像ＰＦが１つずつ裏面に印刷されるように、印刷ユニット１０ｇを制御する（＃２０４）。
【０１０９】
または、印刷制御部１０６は、Ｗｅｂページデータ８１が記憶されている場合は（＃２０１でＹｅｓ）、次の４組の条件の組合せに応じて、次のように印刷ユニット１０ｇを制御する。
【０１１０】
一覧印刷条件データ７１に示される「印刷面」の条件が「表面の余白」であり（＃２０５でＹｅｓ）、かつ、Ｗｅｂページ印刷等条件データ７２に示される「印刷面」の条件が「表面」である場合は（＃２０６でＹｅｓ）、図１９のように、ステップ＃１２７で生成したメイン画像ＧＡと記事タイトル等一覧ＧＢとからなるページ画像ＰＥが１つずつ用紙の表面に印刷され、記事タイトル等一覧ＧＢとマージされていないメイン画像ＧＡが残っていればそれらのメイン画像ＧＡが１つずつ用紙の表面に印刷され、さらにその後ろにステップ＃１３０で生成したＷｅｂページ画像ＰＧが１つずつ用紙の表面に印刷されるように、印刷ユニット１０ｇを制御する（＃２０７）。
【０１１１】
一覧印刷条件データ７１に示される「印刷面」の条件が「表面の余白」であり（＃２０５でＹｅｓ）、かつ、Ｗｅｂページ印刷等条件データ７２に示される「印刷面」の条件が「裏面」である場合は（＃２０６でＮｏ）、図２０のように、ステップ＃１２７で生成したメイン画像ＧＡと記事タイトル等一覧ＧＢとからなるページ画像ＰＥが１つずつ用紙の表面に印刷され、記事タイトル等一覧ＧＢとマージされていないメイン画像ＧＡが残っていればそれらのメイン画像ＧＡが１つずつ用紙の表面に印刷され、さらにこれらの用紙の裏面にステップ＃１３０で生成したＷｅｂページ画像ＰＧが１つずつ印刷されるように、印刷ユニット１０ｇを制御する（＃２０８）。
【０１１２】
一覧印刷条件データ７１に示される「印刷面」の条件が「裏面」であり（＃２０５でＮｏ）、かつ、Ｗｅｂページ印刷等条件データ７２に示される「印刷面」の条件が「表面」である場合は（＃２０９でＹｅｓ）、図２１のように、ステップ＃１２７で生成したメイン画像ＧＡが１つずつ用紙の表面に印刷され、その後ろにステップ＃１３０で生成したＷｅｂページ画像ＰＧが１つずつ用紙の表面に印刷され、さらにこれらの用紙の裏面にステップ＃１２８で生成したページ画像ＰＦが１つずつ印刷されるように、印刷ユニット１０ｇを制御する（＃２１０）。
【０１１３】
一覧印刷条件データ７１に示される「印刷面」の条件が「裏面」であり（＃２０５でＮｏ）、かつ、Ｗｅｂページ印刷等条件データ７２に示される「印刷面」の条件が「裏面」である場合は（＃２０９でＮｏ）、図２２のように、ステップ＃１２７で生成したメイン画像ＧＡが１つずつ用紙の表面に印刷され、これらの用紙の裏面に、ステップ＃１２８で生成したページ画像ＰＦが１つずつ印刷され、さらにステップ＃１３０で生成したＷｅｂページ画像ＰＧが１つずつ印刷されるように、印刷ユニット１０ｇを制御する（＃２１１）。
【０１１４】
図１４に戻って、書類データ生成部１０５は、ユーザＵｘのためにダウンロードされたＷｅｂページをディスプレイに表示しまたは印刷するための、ＰＤＦまたはＴＩＦＦなどのフォーマットの画像ファイルＦＬを生成する（＃１３２）。この際に、画像ファイルＦＬには、Ｗｅｂページ印刷等条件データ７２の「ファイル名」に示されるファイル名を付けておく。
【０１１５】
Ｗｅｂページ印刷等条件データ７２に示される「ＢＯＸ保存」の条件が「行う」である場合は（＃１３３でＹｅｓ）、ユーザボックス管理部１３０は、生成された画像ファイルＦＬをユーザＵｘのボックスに保存する（＃１３４）。
【０１１６】
Ｗｅｂページ印刷等条件データ７２に示される「転送先」の条件として「サーバ」が含まれる場合は（＃１３５でＹｅｓ）、ファイル転送部１０８は、Ｗｅｂページ印刷等条件データ７２の「アドレス」に示されるＩＰアドレスを有するファイルサーバ２Ｂに、生成された画像ファイルＦＬを転送する（＃１３６）。
【０１１７】
Ｗｅｂページ印刷等条件データ７２に示される「転送先」の条件として「Ｅ−Ｍａｉｌ添付」が含まれる場合は（＃１３７でＹｅｓ）、電子メール送信部１０７は、Ｗｅｂページ印刷等条件データ７２の「アドレス」に示される電子メールアドレスに宛てて、生成された画像ファイルＦＬを添付した電子メールを送信（転送）する（＃１３８）。
【０１１８】
画像ファイルＦＬの代わりに、ステップ＃１３１で印刷された書類をディスプレイに表示しまたは再度印刷するためのファイルを保存しまたは転送してもよい。
【０１１９】
〔第二の提供方法〕
図２３は閲覧設定テーブル６の例を示す図、図２４はＷｅｂページ印刷等条件データ７２の例を示す図、図２５は印刷処理の流れの例を説明するフローチャートである。
【０１２０】
ユーザは、あるＷｅｂサイトの記事のＷｅｂページの印刷物を、他のＷｅｂサイトから発信される情報に応じたタイミングで得ることができる。
【０１２１】
以下、あるユーザＵｙが、大阪地域における土曜日または日曜日の天気予報が「雨」であることが検知されたタイミングで大阪の梅田近辺で上映されている映画に関する記事のＷｅｂページの印刷物を取得することを所望する場合を例に、画像形成装置１の各部の処理内容などについて説明する。
【０１２２】
ユーザＵｙは、図２３のような、映画に関する記事を配信するＷｅｂサイトのＲＳＳデータ８０のＵＲＬ、「梅田」というキーワード、および「趣味」というカテゴリを示す閲覧設定データ６ａを、自分の閲覧設定テーブル６に予め登録しておく。
【０１２３】
さらに、図２４のような、「印刷・保存・転送トリガ条件の設定」の条件を「行う」に設定し、「対象ＲＳＳサイト」として大阪の天気予報を配信するＷｅｂサイトのＵＲＬを設定し、かつ「キーワード」として「（土曜日  ｏｒ  日曜日）  ａｎｄ  雨」を設定したＷｅｂページ印刷等条件データ７２を含む印刷等設定データ７を、予め登録しておく。
【０１２４】
閲覧設定データ６ａおよび印刷等設定データ７の登録のための操作および処理の手順は、前に説明した通りである。
【０１２５】
そして、画像形成装置１の各部は、図２５に示すような手順で、印刷物を提供するための処理を行う。以下、ユーザＵｙに上述の映画に関する印刷物を提供する場合を例に説明する。
【０１２６】
ダウンロード処理部１０３は、「印刷・保存・転送トリガ条件の設定」の条件が「行う」であるＷｅｂページ印刷等条件データ７２を検索し、そのＷｅｂページ印刷等条件データ７２の「対象ＲＳＳサイト」に示されるＵＲＬに基づいて、天気予報のＷｅｂサイトのＷｅｂサーバ５からＲＳＳデータ８０をダウンロードする（図２５の＃１４１）。
【０１２７】
更新等有無判別部１０４は、そのＷｅｂページ印刷等条件データ７２に示される通りのキーワードがそのＲＳＳデータ８０の中のいずれかの記事に含まれるように更新されたか否かをチェックする（＃１４２）。つまり、「土曜日」または「日曜日」のいずれかと「雨」とが新たに含まれるようになった記事の有無をチェックする。なお、これらのキーワードが含まれているか否かのチェックを、その記事の内容を掲載するＷｅｂページをチェックすることによって行ってもよいし、ＲＳＳデータ８０に示されるその記事の説明（ｄｅｓｃｒｉｐｔｉｏｎ）に含まれているか否かをチェックすることによって行ってもよい。
【０１２８】
そのような記事がある場合は（＃１４３でＹｅｓ）、ユーザＵｙの閲覧設定データ６ａに示されるＵＲＬに基づいて、映画に関する記事を配信するＷｅｂサイトのＷｅｂサーバ５からＲＳＳデータ８０をダウンロードする（＃１４４）。さらに、そのＲＳＳデータ８０に示される各記事の内容を掲載するＷｅｂページのＷｅｂページデータ８１をダウンロードする（＃１４５）。
【０１２９】
印刷制御部１０６は、その閲覧設定データ６ａにキーワードが示されていなければ（＃１４６でＮｏ）、ダウンロードされたＷｅｂページデータ８１に基づいて各記事のＷｅｂページを印刷する。キーワードが示されている場合は（＃１４６でＹｅｓ）、そのキーワードを含むＷｅｂページのみに限定して印刷する（＃１４７、＃１４８）。Ｗｅｂページを印刷する代わりに、そのＷｅｂページを表示しまたは印刷するためのデータを、ファイル転送部１０８によって特定のファイルサーバ２Ｂに転送してもよいし、電子メール送信部１０７によって特定の電子メールアドレスに転送してもよい。
【０１３０】
〔第三の提供方法〕
図２６は閲覧設定テーブル６の例を示す図、図２７はＷｅｂページ印刷等条件データ７２の例を示す図、図２８は図９に例示する書類を生成する処理の流れの例を説明するフローチャートである。
【０１３１】
画像形成装置１は、特定のカテゴリに属しかつ特定のキーワードを含む記事のＷｅｂページを、ダウンロードした日付の順に並べ、１組の書類として印刷することができる。以下、図９のような、ユーザＵｚが２００７年９月の新製品の化粧品のマーケティングに関する記事のＷｅｂページの書類を所望する場合を例に、説明する。
【０１３２】
ユーザＵｚは、図２６のような、上記の記事を配信するＷｅｂサイトごとに、そのＷｅｂサイトのＵＲＬ、「新製品  ａｎｄ  化粧品」というキーワード、および「マーケティング」というカテゴリを示す閲覧設定データ６ａを、自分の閲覧設定テーブル６に予め登録しておく。
【０１３３】
さらに、図２７のような、「ファイル結合処理」として「行う」を示し、「対象カテゴリ」として「マーケティング」を示し、「取得期間」として２００７年９月の１日から末日までの期間を示すＷｅｂページ印刷等条件データ７２を含む印刷等設定データ７を、予め登録しておく。
【０１３４】
閲覧設定データ６ａおよび印刷等設定データ７の登録のための操作および処理の手順は、前に説明した通りである。
【０１３５】
そして、画像形成装置１の各部は、図２８に示すような手順で、印刷物を提供するための処理を行う。
【０１３６】
ダウンロード処理部１０３は、Ｗｅｂページ印刷等条件データ７２の「取得期間」に示される期間中（ここでは、２００７年９月１日〜３０日）、所定の時間（例えば、２４時間）が経過するごとに（＃１５１でＮｏ、＃１５２でＹｅｓ）、Ｗｅｂページ印刷等条件データ７２の「対象カテゴリ」に示されるカテゴリ（本例では、マーケティング）の閲覧設定データ６ａに基づいて、ＲＳＳデータ８０をダウンロードする（＃１５３）。
【０１３７】
更新等有無判別部１０４は、ダウンロードされたＲＳＳデータ８０に示される記事が更新されまたは新規に追加されたものであるか否かを判別する（＃１５４）。
【０１３８】
ダウンロード処理部１０３は、更新されまたは新規に追加された記事の内容を掲載するＷｅｂページのＷｅｂページデータ８１を、そのＲＳＳデータ８０に示されるその記事のＵＲＬに基づいてＷｅｂサーバ５からダウンロードし（＃１５５）、一時的なファイルを保存するための所定の領域などに保存する（＃１５６）。
【０１３９】
ただし、閲覧設定データ６ａにキーワードが示されている場合は、そのキーワードが含まれるＷｅｂページのＷｅｂページデータ８１のみを保存する。本例では、「新製品」および「化粧品」の両キーワードが含まれるＷｅｂページのＷｅｂページデータ８１を保存する。
【０１４０】
２００７年１０月になったら（＃１５１でＹｅｓ）、印刷制御部１０６は、上記の期間に保存された各Ｗｅｂページデータ８１に基づいて各Ｗｅｂページが次々に用紙に印刷されるように印刷ユニット１０ｇを制御する。具体的には、Ｗｅｂページ印刷等条件データ７２の「追加方法」が「後方追加」である場合は（＃１５７でＹｅｓ）、ダウンロードした日付が古いものほど前の頁に来るようにＷｅｂページを印刷する（＃１５８）。「前方追加」である場合は（＃１５７でＮｏ）、日付が新しいものほど前の頁に来るようにＷｅｂページを印刷する（＃１５９）。これらの頁の画像を印刷するためのデータを１つのファイルに纏めて、ユーザＵｚのボックスに記憶させてもよい。または、所定のファイルサーバ２Ｂまたは電子メールアドレスに宛てて転送してもよい。
【０１４１】
図２９は画像形成装置１の全体的な処理の流れの例を説明するフローチャートである。次に、画像形成装置１における印刷に関する処理の流れを、図２９のフローチャートを参照して説明する。
【０１４２】
画像形成装置１は、ユーザによってコマンドなどが入力されまたは所定のタイミングが訪れるごとに、次のような処理を実行する。
【０１４３】
ユーザが印刷に関する設定のコマンドを入力すると（図２９の＃１１でＹｅｓ）、画像形成装置１は、図１１のような印刷等設定画面ＨＧ１を表示し（＃１２）、記事の印刷などに関する設定の内容を受け付ける（＃１３）。そして、その内容に応じて、そのユーザの印刷等設定データ７を新たに生成しまたは更新する（＃１４）。
【０１４４】
または、ユーザが記事の閲覧に関する設定のコマンドを入力すると（＃２１でＹｅｓ）、画像形成装置１は、Ｗｅｂブラウザの画面を表示する（＃２２）。ここで、ユーザは、注目する記事を見つけ、その発信元であるＷｅｂサイトのＵＲＬのほか、その記事のキーワードおよびカテゴリを必要に応じて指定する。すると、画像形成装置１は、その指定の内容を示す閲覧設定データ６ａを生成し、そのユーザの閲覧設定テーブル６に登録する（＃２３、＃２４）。
【０１４５】
または、記事を収集するタイミング（例えば、毎日の所定の時刻）が訪れると（＃３１でＹｅｓ）、画像形成装置１は、各ユーザの各閲覧設定データ６ａに基づいて、記事の一覧および新規に追加されまたは更新された記事のＷｅｂページのデータを取得する処理を行う（＃３２）。この処理の手順は、前に図１２で説明した通りである。
【０１４６】
または、特定の情報（例えば、特定の地域の天気予報）をチェックするタイミング（例えば、毎日の所定の時刻）が訪れると（＃４１でＹｅｓ）、画像形成装置１は、その特定の情報をチェックし、それに所定のキーワードが示されていれば、所定のＷｅｂページを印刷する（＃４２）。これらの処理の手順は、前に図２５で説明した通りである。
【０１４７】
または、ユーザが原稿のコピーのコマンドを入力すると（＃５１でＹｅｓ）、画像形成装置１は、その原稿の画像とともに、ステップ＃３２でそのユーザのためにダウンロードしておいた記事の一覧および更新されまたは新規に追加された記事のＷｅｂページを、用紙に印刷する処理を行う（＃５２）。この処理の手順は、前に図１３および図１４で説明した通りである。
【０１４８】
そのほか、画像形成装置１は、ユーザが入力したコマンドなどに応じて種々の処理を実行する（＃６１）。また、図２８で説明した、所定の期間分の記事のＷｅｂページを１組の書類に纏めて印刷する処理を実行する。
【０１４９】
本実施形態によると、ユーザは種々のＷｅｂサイトで公開される種々の記事を従来よりも効率的に収集することができる。しかも、収集した記事を、ユーザ自身の好みに応じた形態で印刷させることができる。例えば、レポートなどの印刷物の裏面に印刷させたり、更新されまたは新規に追加された記事はその内容（コンテンツ、本文）まで印刷させ、それ以外の記事はタイトルなどのみ印刷させたり、特定のテーマの記事を１ヶ月分まとめて印刷させたりすることができる。また、天気などの状況に応じて最新の記事を取得することができる。
【０１５０】
本実施形態では、原稿の用紙に記されている画像をコピーする場合を例に、図６または図７などに示した印刷物を提供する方法を説明したが、ＦＡＸ受信の際の印刷およびＰＣプリントを行う場合にも、本発明を適用することができる。
【０１５１】
図３０はドライバ画面ＨＧ２の例を示す図である。画像ファイルＦＬに基づいてＰＣプリントを行う場合にも、ＰＣプリントの対象の画像（メイン画像ＧＡ）を記事タイトル等一覧ＧＢとともに印刷してもよい。この場合は、図３０のようなドライバ画面ＨＧ２を、ユーザが使用する端末装置２Ａに表示させる。ここで、ユーザは、画像ファイルＦＬのファイル名および保存場所、メイン画像ＧＡを印刷する面（表面または裏面のいずれか）、記事タイトル等一覧ＧＢを一緒に印刷するか否か、および記事タイトル等一覧ＧＢを印刷する位置（メイン画像ＧＡの印刷面の反対側に印刷するか、メイン画像ＧＡの印刷面の余白部分に印刷するか）などを指定する。
【０１５２】
画像形成装置１は、ユーザが指定した内容に応じて、画像ファイルＦＬによってメイン画像ＧＡをビットマップ展開する。そして、メイン画像ＧＡと記事タイトル等一覧ＧＢとを同一の用紙に印刷する。
【０１５３】
その他、画像形成装置１、イントラネット４の全体または各部の構成、処理内容、処理順序、データの構造などは、本発明の趣旨に沿って適宜変更することができる。例えば、画像形成装置１は、ＭＦＰに限られず、デジタル複写機やプリンタ等であってもよい。
【図面の簡単な説明】
【０１５４】
【図１】画像形成装置のハードウェア構成の例を示す図である。
【図２】画像形成装置の機能的構成の例を示す図である。
【図３】イントラネットとＷｅｂサーバとの接続の形態の例を示す図である。
【図４】ＲＳＳデータの例を示す図である。
【図５】閲覧設定テーブルの例を示す図である。
【図６】ページ画像の例を示す図である。
【図７】ページ画像の例を示す図である。
【図８】Ｗｅｂページ画像の例を示す図である。
【図９】複数のＷｅｂページからなる書類の例を示す図である。
【図１０】印刷等設定データの例を示す図である。
【図１１】印刷等設定画面の例を示す図である。
【図１２】記事データ取得処理の流れの例を説明するフローチャートである。
【図１３】コピー処理の流れの例を説明するフローチャートである。
【図１４】コピー処理の流れの例を説明するフローチャートである。
【図１５】記事の一覧の配置の例を示す図である。
【図１６】印刷処理の流れの例を説明するフローチャートである。
【図１７】印刷物の形態の例を示す図である。
【図１８】印刷物の形態の例を示す図である。
【図１９】印刷物の形態の例を示す図である。
【図２０】印刷物の形態の例を示す図である。
【図２１】印刷物の形態の例を示す図である。
【図２２】印刷物の形態の例を示す図である。
【図２３】閲覧設定テーブルの例を示す図である。
【図２４】Ｗｅｂページ印刷等条件データの例を示す図である。
【図２５】印刷処理の流れの例を説明するフローチャートである。
【図２６】閲覧設定テーブルの例を示す図である。
【図２７】Ｗｅｂページ印刷等条件データの例を示す図である。
【図２８】図９に例示する書類を生成する処理の流れの例を説明するフローチャートである。
【図２９】画像形成装置の全体的な処理の流れの例を説明するフローチャートである。
【図３０】ドライバ画面の例を示す図である。
【符号の説明】
【０１５５】
１  画像形成装置（印刷装置）
１０４  更新等有無判別部（更新等有公開情報検索手段）
１０５  書類データ生成部（ファイル生成手段）
１０６  印刷制御部（公開情報印刷手段）
１０ｆ  スキャナユニット（原稿画像読取手段）
１０ｇ  印刷ユニット（公開情報印刷手段）
１３１  閲覧設定テーブル記憶部（キーワード記憶手段）
１３２  印刷等設定データ記憶部
５  Ｗｅｂサーバ
６ａ  閲覧設定データ
７  印刷等設定データ
【図１】
0004600528.tif 000002
【図２】
0004600528.tif 000003
【図３】
0004600528.tif 000004
【図４】
0004600528.tif 000005
【図５】
0004600528.tif 000006
【図６】
0004600528.tif 000007
【図７】
0004600528.tif 000008
【図８】
0004600528.tif 000009
【図９】
0004600528.tif 000010
【図１０】
0004600528.tif 000011
【図１１】
0004600528.tif 000012
【図１２】
0004600528.tif 000013
【図１３】
0004600528.tif 000014
【図１４】
0004600528.tif 000015
【図１５】
0004600528.tif 000016
【図１６】
0004600528.tif 000017
【図１７】
0004600528.tif 000018
【図１８】
0004600528.tif 000019
【図１９】
0004600528.tif 000020
【図２０】
0004600528.tif 000021
【図２１】
0004600528.tif 000022
【図２２】
0004600528.tif 000023
【図２３】
0004600528.tif 000024
【図２４】
0004600528.tif 000025
【図２５】
0004600528.tif 000026
【図２６】
0004600528.tif 000027
【図２７】
0004600528.tif 000028
【図２８】
0004600528.tif 000029
【図２９】
0004600528.tif 000030
【図３０】
0004600528.tif 000031